(57)【要約】【課題】バックシートからの排泄水分の透過を抑制することのできる吸収性物品を提供する。【解決手段】吸収性物品１００は、吸収性コア４０の肌対向面側に設けられるスリット部４９と、スリット部４９に対して肌非対向面側に延在する、バックシート６３を含むシートと、スリット部４９に対する肌非対向面側において、バックシート６３を部分的に重複させて形成されるシート重複部８３と、を備えることを特徴とする。【選択図】図７
2019176930.tif 000002
【特許請求の範囲】
【請求項１】
吸収性コアの肌対向面側に設けられるスリット部と、
前記スリット部に対して肌非対向面側に延在する、バックシートを含むシートと、
前記スリット部に対する肌非対向面側において、前記バックシートを部分的に重複させて形成されるシート重複部と、
を備えることを特徴とする吸収性物品。
【請求項２】
前記シート重複部が、前記バックシートを折り返した第一シート重複部を有する
請求項１に記載の吸収性物品。
【請求項３】
前記シートが前記バックシートを２枚含み、
前記シート重複部が、前記２枚の前記バックシートを部分的に重複させた第二シート重複部を有する
請求項１又は２に記載の吸収性物品。
【発明の詳細な説明】
【技術分野】
【０００１】
本発明は、吸収性物品に関する。
【背景技術】
【０００２】
従来、紙おむつ、尿漏れパッドや生理用ナプキンといった吸収性物品が知られている。吸収性物品は、高吸収性ポリマーを含有する吸収体と、吸収体の肌非対向面側に配置されたバックシートとを備えている。吸収性物品によれば、着用者から排泄される尿や経血といった液体の水分（以降、「排泄水分」という）や固形成分等の排泄物を内部に保持して、吸収性物品から漏れ出すことを防ぐことができる。
【０００３】
吸収性物品による排泄物の吸収性能を高めるために、様々な技術が提案されている。例えば、特許文献１では、吸収体に長手方向に沿って延びるスリットが設けられた吸収性物品が開示されている。特許文献１の吸収性物品によれば、吸収体を厚み方向に貫通するスリットを通じて排泄水分を拡散することができ、吸収体の長手方向の広範囲において排泄水分を吸収させやすくすることができるようになっている。
【先行技術文献】
【特許文献】
【０００４】
【特許文献１】特開２０１７−１８９２４３号公報
【発明の概要】
【発明が解決しようとする課題】
【０００５】
本件は排泄水分の漏出を抑制することのできる吸収性物品を提供することを目的の一つとする。なお、この目的に限らず、後述する「発明を実施するための形態」に示す各構成から導き出される作用及び効果であって、従来の技術では得られない作用及び効果を奏することも、本件の他の目的として位置付けることができる。
【課題を解決するための手段】
【０００６】
ここで開示する吸収性物品は、吸収性コアの肌対向面側に設けられるスリット部と、前記スリット部に対して肌非対向面側に延在する、バックシートを含むシートと、前記スリット部に対する肌非対向面側において、前記バックシートを部分的に重複させて形成されるシート重複部と、を備えることを特徴とする。
【発明の効果】
【０００７】
本件で示す吸収性物品によれば、排泄水分の漏出を抑制することができる。
【図面の簡単な説明】
【０００８】
【図１】一実施形態に係る尿漏れパッドの展開図である。
【図２】一実施形態に係る尿漏れパッドの分解斜視図である。
【図３】図１のＩＩＩ−ＩＩＩ矢視における、第一貼合部を備える尿漏れパッドの要部断面を示す模式図である。
【図４】第二貼合部を備える尿漏れパッドの要部断面を示す模式図である。
【図５】第一非透気部材を備える尿漏れパッドの要部断面を示す模式図である。
【図６】第二非透気部材を備える尿漏れパッドの要部断面を示す模式図である。
【図７】第一シート重複部を備える尿漏れパッドの要部断面を示す模式図である。
【図８】第一シート重複部の製造工程を示す模式図である。
【図９】第二シート重複部を備える尿漏れパッドの要部断面を示す模式図である。
【図１０】尿漏れパッドの第一変形例の要部断面を示す模式図である。
【図１１】尿漏れパッドの第二変形例の要部断面を示す模式図である。
【発明を実施するための形態】
【０００９】
以下、本件を実施するための形態を説明する。下記の実施形態はあくまでも例示に過ぎず、この実施形態で明示しない種々の変形や技術の適用を排除する意図はない。本実施形態の各構成は、その趣旨を逸脱しない範囲で種々変形して実施することができる。また、必要に応じて取捨選択することができ、適宜組み合わせることもできる。
【００１０】
実施形態で述べる吸収性物品は、着用者に装着され、着用者から排泄される尿や便等の排泄水分を吸収し保持する衛生用品である。この吸収性物品には、テープ型やパンツ型の紙おむつ（いわゆる「使い捨ておむつ」）といった吸収性物品のほか、尿漏れパッド、生理用ナプキン、パンティーライナーといった吸収性物品なども含まれる。以下の実施形態では、吸収性物品として尿漏れパッドを例示する。尿漏れパッドは通常、紙おむつの肌対向面側に装着されて用いられる。尿漏れパッドは、主に成人の要介護者に装着されて用いられる。
【００１１】
本実施形態では、尿漏れパッドについて、着用者の腹部に対向して配置される前身頃と背部に対向して配置される後身頃とを結ぶ方向を長手方向とする。これらの前身頃（長手方向の一側）と後身頃（長手方向の他側）との間（長手方向の中央）には、着用者の股下に配置（股間に対向して配置）される股下部が位置する。また、尿漏れパッドが着用者に装着された状態（以下、「装着状態」と略称する）において、着用者の肌に向かう側（装着された状態で内側）を肌対向面側とし、肌対向面側の反対側（外側）を肌非対向面側とする。さらに、肌対向面側と肌非対向面側とを結ぶ方向を厚み方向とし、長手方向と厚み方向の何れにも直交する方向を幅方向とする。その他、厚み方向の肌対向面側から視ることを平面視とする。そして、平面視での幅方向を左右ともいう。
【００１２】
本明細書において、例えば「１〜１００」との数値範囲の表記は、その下限値「１」及び上限値「１００」の双方を包含するものとする。また、他の数値範囲の表記も同様である。また、図面の寸法比率は、図示の比率に限定されるものではない。
【００１３】
［１．構成］
［１−１．基本構成］
図１〜図３を参照して、尿漏れパッド１００の基本的な構成を説明する。なお、図３の断面図では、各構成を把握しやすくするため、各シート類の厚みを誇張して示している。なお、下記の説明では、「尿漏れパッド」を単に「尿パッド」と略称する。
【００１４】
図１に示すように、尿パッド１００は、幅方向の中心線Ａを基準として対称に構成されている。この尿パッド１００は、長手方向に沿って前身頃２、股下部３、及び後身頃４の三つの領域に大別される。前身頃２は、装着状態で着用者の下腹部側に位置する領域である。後身頃４は、装着状態で着用者の臀部側に位置する領域である。股下部３は、前身頃２と後身頃４との間に位置して、装着状態で着用者の股下に位置する領域である。尿パッド１００は、前身頃２及び後身頃４において、長手方向の両側縁部から股下部３よりも幅方向外方に延出する、左右一対のサイドフラップをそれぞれ有している。
【００１５】
図３に示すように、尿パッド１００は、少なくとも吸収性コア４０を備える。また、尿パッド１００は、吸収性コア４０を内蔵し、溝状部２３と外周部２４とを有する吸収体２０を備える。また、図２及び図３に示すように、尿パッド１００は、吸収体２０と、吸収体２０に積層されるシートとを有する積層体１０を備える。積層体１０は、吸収体２０と、吸収体２０の肌対向面側に積層されるトップシート６２と、吸収体２０の肌非対向面側に積層されるバックシート６３とを備える。さらに、トップシート６２の側方（幅方向外側）であって肌対向面側に、サイドシート６４が配置される。また、バックシート６３の肌非対向面側には、カバーシート６５が積層される。積層体１０、吸収体２０、及び吸収性コア４０は、前身頃２、股下部３、及び後身頃４にわたって長手方向に設けられている。また、吸収体２０及び吸収性コア４０は、平面視で、略長方形状の外形を有している。
【００１６】
図３に示すように、尿パッド１００は、吸収性コア４０と、吸収性コア４０に積層される２以上のシートを有する積層シート６０とを備えている。積層シート６０は、吸収性コア４０の長手方向に沿って幅方向中央部に少なくとも積層されるシートである。積層シート６０は、吸収性コア４０を被覆するラップシート６１を有している。また、積層シート６０は、ラップシート６１の肌対向面側に配置されるトップシート６２を有している。また、積層シート６０は、ラップシート６１の肌非対向面側に配置されるバックシート６３を有している。さらに、積層シート６０は、バックシート６３の肌非対向面側に配置されるカバーシート６５を有している。
以下、尿パッド１００の各構成要素について説明する。
【００１７】
〔吸収性コア〕
吸収性コア４０は、排泄水分を吸収して保持する吸液性をもつマット状（あるいはパッド状）の部材である。吸収性コア４０は、長手方向に沿って延在するとともに、厚み方向に貫通するスリット部４９を有している。すなわち、吸収性コア４０は、平面視で吸収体２０の長手方向に沿って延在するとともに、幅方向中心に設けられているスリット部４９を有することで、四角環状の形状を有している。
【００１８】
図３に示すように、吸収性コア４０は、高吸収性ポリマー（ＳＡＰ（Superabsorbent polymer）、高吸水性高分子あるいは高吸水性樹脂とも称される）５１と、繊維材料５２とを含んでいる。吸収性コア４０は、繊維材料５２に高吸収性ポリマー５１が混合されることにより形成されている。繊維材料５２は、親水性を有する極細の繊維が絡まり合って形成されている。高吸収性ポリマー５１は、繊維材料５２に混合されることにより、通常、繊維材料５２に埋没保持されている。高吸収性ポリマー５１は、繊維材料５２によって拡散された液体を吸収し保持することができる。高吸収性ポリマー５１と繊維材料５２との含有量は特に限定されないが、高吸収性ポリマー５１と繊維材料５２との合計含有量に対して、高吸収性ポリマー５１の含有量の割合が、通常２０〜８０％、好ましくは３０〜７０％、より好ましくは４０〜６０％である。
【００１９】
＜高吸収性ポリマー＞
高吸収性ポリマー５１としては、使い捨ておむつや尿パッドのような吸収性物品における吸収体の材料として用いられている各種公知のものを用いることができる。高吸収性ポリマー５１としては、例えば、デンプン−アクリル酸（塩）グラフト共重合体、デンプン−アクリロニトリル共重合体のケン化物、デンプン−アクリル酸エチルグラフト共重合体のケン化物等のデンプン系；ナトリウムカルボキシメチルセルロースの架橋物等のセルロース系；ポリアクリル酸（塩）、アクリル酸で架橋されたポリエチレンオキシド、ポリビニルアルコール−無水マレイン酸反応物の架橋物等の合成ポリマー系の物を用いることができる。これらの中でも、吸収性の観点から、ポリアクリル酸（塩）が好ましく、ポリアクリル酸ナトリウムがより好ましい。これらは、１種を単独で用いてもよく、２種以上を組み合わせて用いてもよい。高吸収性ポリマー５１の形状は特に限定されないが、例えば、粒状、粉体状、ペレット状、ゾル状、フィルム状、繊維状等のものを用いることができる。
【００２０】
＜繊維材料＞
繊維材料５２としては、例えば、パルプ繊維、レーヨン繊維、コットン繊維等のセルロース系の繊維や；ポリエチレン、ポリプロピレン、ポリエチレンテレフタレート等の合成繊維に親水化処理を施したものが挙げられる。中でも、吸収性の観点から、繊維又は合成繊維を粉砕あるいは解繊したフラッフパルプを用いることが好ましい。これらは、１種を単独で用いてもよく、２種以上を組み合わせて用いてもよい。
【００２１】
〔吸収体〕
吸収体２０は、吸収性コア４０を内蔵することで、吸収性コア４０と同様に吸液性をもつマット状の部材である。図１〜図３に示すように、吸収体２０は、平面視で吸収体２０の長手方向に沿って設けられる溝状部２３と、平面視で溝状部２３の外側に設けられる外周部２４とを有している。
【００２２】
図３に示すように、吸収体２０は、吸収性コア４０とラップシート６１とを有している。吸収体２０は、吸収性コア４０がラップシート６１によって被包（ラップ）されることで形成されている。溝状部２３は、スリット部４９の形状にあわせて、ラップシート６１が、外周部２４よりも厚み方向に凹むことで形成されている。また、図１及び図３に示すように、溝状部２３は、吸収体２０の肌対向面側において、長手方向に沿って幅方向中心に形成されている。
【００２３】
＜ラップシート＞
ラップシート６１は、吸収性コア４０を被覆するシート状の部材である。ラップシート６１によって、吸収性コア４０の肌対向面側と肌非対向面側とを含めて、吸収性コア４０の全体が被包されることで、吸収性コア４０の定形性が確保される。
【００２４】
ラップシート６１は、吸収性物品に用いられている公知の材料で形成することができる。例えばティッシュペーパーのような紙；スパンボンド不織布、ニードルパンチ不織布、スパンレース不織布、エアースルー不織布、ＳＭＳ（Spunbound Meltblown Spunbound）不織布等を用いることができる。
【００２５】
〔積層体〕
図２に示すように、積層体１０は、吸収体２０の両主面側にトップシート６２とバックシート６３とがそれぞれ配置された積層構造体である。中でも、トップシート６２は、吸収体２０の肌対向面側の表面に配置される。また、バックシート６３は、吸収体２０の肌非対向面側の表面に配置される。積層体１０は、肌対向面側からの排泄水分をトップシート６２に透過させて、透過した排泄水分を吸収体２０によって吸収保持するとともに、バックシート６３によって肌非対向面側から外部への漏出を阻止する。トップシート６２及びバックシート６３と吸収体２０とは、ホットメルト接着剤等の公知の接着剤によって固定することができる。図３に示すように、積層体１０は、その肌対向面側において、溝状部２３の形状にあわせて、厚み方向に凹んでいる。
【００２６】
＜トップシート＞
トップシート６２は、積層体１０において最も肌対向面側に配置されるシート状の部材である。トップシート６２は、尿パッド１００の幅方向中央領域に設けられるため、センターシートとも称される。図３に示すように、トップシート６２は、吸収体２０よりも幅方向寸法が大きく、肌対向面側から吸収体２０の全面を被覆する。また、トップシート６２は、尿パッド１００が装着された状態において、着用者の肌に接触して、排泄水分を透過させて吸収体２０に吸収させる。このため、トップシート６２は、少なくとも一部または全部が透水性の高い材料で構成される。また、トップシート６２は、装着状態のフィット性のため、柔軟性が高い材料で構成されることが好ましい。また、装着状態での蒸れを抑えるため、通気性を併せもつ材料で構成されることが好ましい。
【００２７】
トップシート６２を構成する材料としては、例えば、織布、不織布、多孔性フィルム等を用いることができる。または、トップシート６２としては、ポリプロピレン、ポリエチレン、ポリエステル、ナイロン等の熱可塑性樹脂の繊維に親水化処理を施して，不織布にしたものを用いてもよい。トップシート６２を構成する不織布としては、例えば、スパンボンド不織布、ニードルパンチ不織布、スパンレース不織布、エアースルー不織布、メルトブローン不織布、ＳＭＳ不織布等を用いることができる。
【００２８】
＜バックシート＞
バックシート６３は、積層体１０で最も肌非対向面側に配置されるシート状の部材である。バックシート６３は、吸収体２０及びトップシート６２よりも幅方向寸法が大きく、肌非対向面側から吸収体２０及びトップシート６２の全面を被覆する。また、バックシート６３は、吸収体２０から肌非対向面側に排泄物が漏れるのを防ぐ。このため、バックシート６３は、透水性の低い材料で構成される。また、バックシート６３は、装着状態での蒸れを抑えるため、透湿性を併せもつ材料で構成されることが好ましい。
【００２９】
バックシート６３を構成する材料としては、例えば、ポリエチレン、ポリプロピレン等の熱可塑性樹脂シートを用いることができる。中でも、バックシート６３としては、０．１〜０．４μｍの微細な孔が複数形成された微多孔性の熱可塑性樹脂シートを用いることが好ましい。このようなシートとしては、例えば、熱可塑性樹樹脂中に無機充填剤を混練してシートを成形した後に、延伸することにより得られるシートを用いることができる。
【００３０】
〔サイドシート、カバーシート〕
尿パッド１００は、積層体１０に対して積層されるサイドシート６４及びカバーシート６５をさらに備えている。サイドシート６４は、積層体１０の肌対向面側において幅方向側方にわたって配置される。また、カバーシート６５は、積層体１０の肌非対向面側に配置される。サイドシート６４及びカバーシート６５と積層体１０とは、ホットメルト接着剤等の公知の接着剤によって固定することができる。
【００３１】
＜サイドシート＞
サイドシート６４は、積層体１０の両側部に後述する立体ギャザー７０を形成するために幅方向両側に設けられる左右一対の部材である。図３に示すように、サイドシート６４は、トップシート６２及びバックシート６３の幅方向側方のそれぞれに設けられている。さらに、サイドシート６４は、トップシート６２及びバックシート６３の幅方向側方から、幅方向側部にかけて肌対向面側に積層される。サイドシート６４は、後述する立体ギャザー７０の収縮を利用して、着用者の肌に当接する方向に向かって起立する。
【００３２】
サイドシート６４は、幅方向側方への液漏れを防ぐため、透水性の低い材料で構成されることが好ましい。サイドシート６４としては、スパンボンド不織布を用いることができる。また、サイドシート６４の一部は、尿パッド１００において最も肌対向面側に配置される（このことから、サイドシート６４はトップシート６２と同様に「トップシート」とも称される）。このように着用者に対して接触しうるサイドシート６４としては、ＳＭＳ不織布やＳＭＭＳ（Spunbound Meltblown Meltblown Spunbound）不織布のようにメルトブローン層を含ませることにより、柔軟性を高めたスパンボンド不織布を用いることが好ましい。あるいは、スパンボンド不織布をなす繊維の繊度や目付量が抑えられることにより、柔軟性を向上させたスパンボンド不織布を用いることが好ましい。
【００３３】
なお、「繊度」とは、繊維の繊維径（太さ）や断面積に対応するパラメータであり、所定の長さあたりの重量で表される。例えば、一本の繊維について１００００ｍあたりのグラム数（デシテックス）が「繊度」として用いられる。
また、「目付量」とは、シートの厚みあるいは積層度合いに対応するパラメータであり、単位面積あたりの重量で表される。例えば、一平米あたりのグラム数が「目付量」として用いられる。
【００３４】
＜カバーシート＞
カバーシート６５は、積層体１０を肌非対向面側から被覆するシート状の部材である。カバーシート６５は、尿パッド１００で最も肌非対向面側に配置されることで、バックシート６３を補強し、バックシート６３の手触り（触感）を良好なものとするために用いられる。カバーシート６５は、吸収体２０、トップシート６２、及びバックシート６３よりも幅方向寸法が大きく設定され、装着状態で着用者の股下、臀部、下腹部等のまわりに配置される。
【００３５】
カバーシートは透気性の材料で構成され、例えば、織布、不織布等の材料で構成することができる。中でも、ポリエチレン、ポリプロピレン、ポリエステル等の熱可塑性樹脂からなる不織布、湿式不織布を用いることが好ましい。特には、触感（手触り）を確保する観点及び柔軟性に優れるという観点から、カバーシート６５としては、スパンボンド不織布を好適に用いることができる。
【００３６】
上述のように構成された尿パッド１００では、肌対向面側から肌非対向面側へ向けて、サイドシート６４、トップシート６２、吸収体２０、バックシート６３、カバーシート６５の順に各部材が積層されている。サイドシート６４とカバーシート６５とは、ホットメルト接着剤等の公知の接着剤によって貼り合わされる。
【００３７】
〔ギャザー〕
尿パッド１００には、装着状態における着用者への追従性を高めるため、立体ギャザー７０が設けられている。立体ギャザー７０は、ゴムやポリウレタン、伸縮フィルムといった伸縮性をもつ部材（伸縮性部材）を伸張状態で不織布などのシートの間に挟んで、ホットメルト、ヒートシール、超音波溶着等で固定することによって伸縮性をもたせたシート複合体から構成される。このシート複合体は、伸縮性部材が伸張状態からもと（自然長の状態）に戻ろうとする力（復元力、弾性力）でシートに細かな皺が寄った状態となる。ここでは、伸縮性部材として糸状のゴム部材（以下、「糸ゴム」と略称する）７１を例示する。
【００３８】
立体ギャザー７０は、サイドシート６４の幅方向内側端縁部が糸ゴム７１で皺寄せられることで形成されている。立体ギャザー７０は、排泄箇所の周縁で着用者に対する追従性を高めることにより、排泄物の幅方向側方への漏れを防ぐために設けられる。図１に示すように、立体ギャザー７０は、サイドシート６４の幅方向内側に配備される。図１及び図２に示すように、立体ギャザー７０では、サイドシート６４の幅方向内側の端縁で長手方向に沿って糸ゴム７１が設けられている。また、図３に示すように、立体ギャザー７０では、サイドシート６４の幅方向内側の端縁部に位置するシート部６４Ａ，６４Ｂが折り曲げられて重ねられる。これらのシート部６４Ａ，６４Ｂによって、長手方向に延在する糸ゴム７１が囲まれている。
【００３９】
［１−２．詳細構成］
次に、尿パッド１００の詳細な構成を述べる。
尿パッド１００では、スリット部４９により溝状部２３が形成されることで、溝状部２３に沿った排泄水分の拡散や、肌非対向面側に向けて排泄水分の浸透が促され、吸収性能の向上が図られている。しかしながら、例えば、着用者が一度に多量の尿を排泄した場合には、吸収体２０が尿を吸収しきるまでに時間を要することで、吸収体２０で直ちに吸収しきれなかった排泄水分がバックシート６３及びカバーシート６５を透過して外部に漏れ出すおそれがある。また、着用者が座位等の姿勢の場合には、吸収体２０に保持された排泄水分が重力によってバックシート６３及びカバーシート６５を透過して外部に漏れ出すおそれもある。特に、平面視でスリット部４９に対応する位置では、排泄水分が漏出しやすい傾向にある。
【００４０】
そこで、このような肌非対向面側への排泄水分の漏出を抑制するために、尿パッド１００には、スリット部４９に対して肌非対向面側に漏止部８０が設けられている。肌非対向面側への排泄水分の漏出を防止するとともに、排泄水分を幅方向に拡散させ、排泄水分を吸収体２０に効率よく吸収させるという観点から、漏止部８０の幅方向寸法は、スリット部４９の幅方向寸法よりも大きいことが好ましい。また、同様の観点から、漏止部８０の長手方向寸法は、スリット部４９の長手方向寸法よりも大きいことが好ましい。
【００４１】
以下において、三種の漏止部８０を例示する。具体的には、第一の漏止部８０として貼合部８１、第二の漏止部８０として非透気部材８２、第三の漏止部８０としてシート重複部８３を例示する。つまり、漏止部８０は、貼合部８１、非透気部材８２及びシート重複部８３の少なくとも一つを有する。
【００４２】
〔貼合部〕
図３及び図４に示すように、貼合部８１では、吸収性コア４０の肌非対向面側におけるシートが貼り合わせられている。このようなシートは、スリット部４９に対して肌非対向面側に延在するものであれば特に限定されず、例えば、ラップシート６１、バックシート６３やカバーシート６５等が挙げられる。また、このシートを貼り合わせる対象は、その肌対向面側に位置する構成要素であれば特に限定されず、例えば、吸収性コア４０、ラップシート６１やバックシート６３等が挙げられる。
【００４３】
このような貼合部８１として、図３には、スリット部４９に対する肌非対向面側において、吸収性コア４０を被覆するラップシート６１の端縁どうしが貼り合わせられた第一貼合部８１Ａを示す。また、図４には、スリット部４９に対する肌非対向面側において、吸収体２０を肌非対向面側から覆うバックシート６３を、その肌対向面側に位置するラップシート６１に貼り合わせた第二貼合部８１Ｂを示す。
【００４４】
貼合部８１では、例えば、接着層によりシートが貼り合わせられる。接着層には、接着性能の発揮タイミングを調節可能なオンデマンド型接着剤を用いることが好ましい。
オンデマンド型接着剤としては、ホットメルト接着剤やＵＶ（UltraViolet）硬化型接着剤等が用いられる。ホットメルト接着剤は、熱が印加されて溶融した後に硬化する。また、ＵＶ硬化型接着剤は、紫外線が照射されて硬化する。言い換えれば、ホットメルト接着剤は、熱が印加されるまでは接着性能を発揮しない。同様に、ＵＶ硬化型接着剤は、紫外線が照射されるまでは接着性能を発揮しない。
【００４５】
接着層には、ＵＶ照射のように特殊な設備が不要であり、作業性及び安全性に優れるという観点から、ホットメルト接着剤を用いることが好ましい。
【００４６】
接着層の厚み寸法は、尿パッド１００の装着時の違和感を軽減する観点からは薄い方が好ましい。一方、排泄水分の透過を抑制し、シートを確実に貼り合わせる観点からはある程度の厚みを要する。したがって、接着層の厚み寸法は、例えば５〜５００μｍ、好ましくは２０〜１００μｍである。
【００４７】
また、接着層は、平面視で、スリット部４９に重複する全域に設けてもよいし、スリット部４９に対して部分的に設けてもよい。また、接着層は、平面視で様々なパターンに形成することができる。このようなパターンとしては、例えば、幅方向に略平行なストライプ状、長手方向に略平行なストライプ状、ドット状、千鳥状、波線状、格子状等が挙げられる。上記パターンの接着層によれば、排泄水分の肌非対向面側への透過を抑制しつつ、排泄水分を幅方向（吸収体２０とバックシート６３との間）に拡散することができる。
【００４８】
なお、第一貼合部８１Ａと第二貼合部８１Ｂとを併用することもできる。第一貼合部８１Ａと第二貼合部８１Ｂとを併用する場合には、接着層の厚み寸法、平面視において接着層を設ける領域、及び平面視における接着層のパターン形状は互いに同じであってもよいし、異なっていてもよい。
【００４９】
〔非透気部材〕
図５及び図６に示すように、非透気部材８２は、スリット部４９に対する肌非対向面側に配置される。非透気部材８２は、気体も液体も透過させない部材である。非透気部材８２が配置される位置は、スリット部４９に対して肌非対向面側であれば特に限定されない。非透気部材８２は、例えば、ラップシート６１とバックシート６３との間、バックシート６３とカバーシート６５との間等に配置することができる。
なお、図５及び図６における尿パッド１００では、平面視で吸収性コア４０に重複する領域であって、吸収性コア４０の肌対向面側においてラップシート６１の端縁どうしが貼り合わせられている。
【００５０】
このような非透気部材８２として、図５には、吸収体２０を肌非対向面側から覆うバックシート６３の肌対向面側に配置した第一非透気部材８２Ａを示す。また、図６には、バックシート６３の肌非対向面側に配置した第二非透気部材８２Ｂを示す。
【００５１】
非透気部材８２としては、ポリオレフィンフィルムやポリエステルフィルム等のプラスチックフィルムからなる非透気フィルムのほか、アルミニウム箔等の金属箔などが挙げられる。これらの中でも、入手が容易かつ安価であり、加工性に優れるという観点から、非透気フィルムが好ましい。ポリオレフィンフィルムを構成する材料としては、ポリエチレン樹脂やポリプロピレン樹脂等が挙げられる。また、ポリエステルフィルムを構成する材料としては、ポリエチレンテレフタレート樹脂等が挙げられる。
【００５２】
非透気部材８２は、着用者に対する違和感を軽減する観点からは薄い方が好ましい。一方、排泄水分の透過を抑制しつつ、非透気部材８２の耐久性を維持する観点からはある程度の厚みを要する。したがって、非透気部材８２の厚み寸法は、例えば５〜５００μｍ、好ましくは２０〜１００μｍである。
【００５３】
非透気部材８２は、スリット部４９に重複する全域に配置してもよいし、スリット部４９に対して部分的に配置してもよい。
【００５４】
また、非透気部材８２は、吸収性コア４０の長手方向に延在させることが好ましい。このような非透気部材８２は、尿パッド１００のセンターラインとして機能し、製造工程上のマーカーとして利用することができる。センターラインの位置をマーカー識別手段により検出することで、センターラインに対して吸収体２０が適切な位置に積層されたか否かを判別することができる。そのため、尿パッド１００の製造工程において積層される吸収体２０の位置ズレを防止し、尿パッド１００の生産性を向上させることができる。また、尿パッド１００を肌対向面側から平面視する際に非透気部材８２を視認することができるため、着用者に対して尿パッド１００を装着する際の位置あわせが容易になる。
【００５５】
なお、第一非透気部材８２Ａと第二非透気部材８２Ｂとを併用することもできる。第一非透気部材８２Ａと第二非透気部材８２Ｂとを併用する場合には、これらの部材８２Ａ，８２Ｂを同じ材質としてもよいし、異なる材質としてもよい。また、第一非透気部材８２Ａと第二非透気部材８２Ｂとは厚み寸法が同じであっても、異なっていてもよい。さらに、平面視において、第一非透気部材８２Ａと第二非透気部材８２Ｂとを配置する領域は同じであっても、異なっていてもよい。
【００５６】
〔シート重複部〕
図７〜図９に示すように、シート重複部８３は、スリット部４９に対する肌非対向面側に設けられる。シート重複部８３はバックシート６３を部分的に重複させた部位である。
【００５７】
このようなシート重複部８３として、図７には、バックシート６３の幅方向断面を「Ｚ」字状に折り返した第一シート重複部８３Ａを示す。また、図９には、二枚のバックシート６３Ａ，６３Ｂを部分的に重複させた第二シート重複部８３Ｂを示す。
【００５８】
第一シート重複部８３Ａは、例えば図８に示すように、一枚のバックシート６３を、長手方向に延在する第一折り曲げ線Ｐ１と第二折り曲げ線Ｐ２とで、幅方向断面から視て「Ｚ」字状に折り曲げることで形成される。なお、第二折り曲げ線Ｐ２は、第一折り曲げ線Ｐ１から幅方向に所定寸法離間して長手方向に延在している。つまり、幅方向に所定寸法離間した第一折り曲げ線Ｐ１と第二折り曲げ線Ｐ２との間隔が、第一シート重複部８３Ａの幅方向寸法である。
また、第一シート重複部８３Ａとしては、上記のほかに、バックシート６３を二つに折り返したものを例示することができる。
【００５９】
第二シート重複部８３Ｂは、尿パッド１００の幅方向内側において、二枚のバックシート６３Ａ，６３Ｂの幅方向端部どうしを幅方向に所定寸法重複させることで形成される。つまり、二枚のバックシート６３Ａ，６３Ｂの幅方向における重複寸法が、第二シート重複部８３Ｂの幅方向寸法である。また、二枚のバックシート６３Ａ，６３Ｂは、重複箇所において接着層によって貼り合わせられていてもよい。この場合、接着層としては、上記貼合部において説明した接着層を用いることができる。
【００６０】
なお、第一シート重複部８３Ａと第二シート重複部８３Ｂとを併用することもできる。この場合、二枚以上のバックシートが必要になる。
【００６１】
［２．作用及び効果］
本実施形態の尿パッド１００は、上述したように構成されるため、下記のような作用及び効果を得ることができる。
【００６２】
（１）尿パッド１００は、スリット部４９に対して肌非対向面側に、スリット部４９から肌非対向面側への排泄水分の漏出を抑制するための漏止部８０を備える。漏止部８０により、肌非対向面側に排泄水分が漏出することを抑制しつつ、排泄水分が幅方向に拡散されるため、吸収体２０により排泄水分を効率よく吸収することができる。
【００６３】
（２）漏止部８０を、尿パッド１００を構成するシートを貼り合わせた貼合部８１とすることで、漏止部８０を備える尿パッド１００を簡便に製造することができる。
具体的には、第一貼合部８１Ａは、吸収性コア４０をラップシート６１で被覆する工程においてラップシート６１の端縁どうしを接着層により貼り合わせるだけで形成することができる。また、第二貼合部８１Ｂは、スリット部４９に対する肌非対向面側においてバックシート６３を肌対向面側に接着層により貼り合わせるだけで形成することができる。したがって、従来の尿パッド１００の製造装置に、特別な製造装置を追加することなく、貼合部８１を備える尿パッド１００を簡便に製造することができる。また、接着層は材料費が安価であり、他のシートを増設することなく、漏止部８０を備える尿パッド１００の製造コストを低減することができる。さらに、接着層は、その厚み寸法、平面視において接着層を設ける領域及び平面視におけるパターン形状を適宜選択することで、バックシート６３を透過する排泄水分を抑制する機能と、排泄水分を幅方向へ拡散させる機能とのバランスを図ることが容易である。
【００６４】
（３）漏止部８０の非透気部材８２としての非透気フィルムをバックシート６３の肌対向面側及び／又は肌非対向面側に配置するだけで、漏止部８０を備える尿パッド１００を簡便に製造することができる。このような非透気フィルムは樹脂材料で構成することができる。そのため、材料設計の幅が広く、厚み寸法や形状の調整が容易である。したがって、非透気部材８２としての非透気フィルムによって排泄水分の透過を抑制することができ、そのうえ、排泄水分を面方向（特に幅方向）に拡散させることができる。そして、非透気部材８２としての非透気フィルムを漏止部８０として用いることで、尿パッド１００からの排泄水分の漏出を抑制しつつ、排泄水分を幅方向に拡散する機能を有する尿パッド１００を簡便に得ることができる。
【００６５】
（４）また、非透気部材８２としての非透気フィルムを吸収性コア４０の長手方向に延在させて配置することで、この非透気フィルムが尿パッド１００のセンターラインとして機能し、非透気フィルムを製造工程上のマーカーとして利用することができる。そのため、尿パッド１００の製造工程において吸収体２０を積層する際に位置ズレを防止し、尿パッド１００の生産性を向上させることができる。また、尿パッド１００を肌対向面側から平面視する際に非透気部材８２としての非透気フィルムを視認することができるため、着用者に対して尿パッド１００を装着する際の位置あわせが容易になる。
【００６６】
（５）漏止部８０を、バックシート６３を部分的に重複させたシート重複部８３とすることで、材料の異なる部材を追加することなく、漏止部８０を備える尿パッド１００を簡便に製造することができる。
具体的には、第一シート重複部８３Ａは、バックシート６３の幅方向断面を「Ｚ」字状に折り曲げるだけで形成することができる。また、第二シート重複部８３Ｂは、二枚のバックシート６３Ａ，６３Ｂを部分的に重複させるだけで形成することができる。したがって、幅方向断面が「Ｚ」字状に折り曲げられたバックシート６３を捲回したロール状物や、部分的に重複した二枚のバックシート６３Ａ，６３Ｂを捲回したロール状物を準備すれば、従来の製造装置を用いて、漏止部８０を備える尿パッド１００を容易に製造することができる。
【００６７】
［３．その他］
上記の実施形態では、厚み方向に貫通するスリット部４９を有する四角環状の形状の吸収性コア４０を備える尿パッド１００を例に挙げて説明したが、吸収性コア４０の形状は特に限定されない。つまり、スリット部４９は、肌非対向面側に向けて排泄水分の浸透を促す機能を有するものであれば、吸収性コア４０を厚み方向に貫通していなくてもよい。例えば、スリット部４９に対応する位置に、高吸収性ポリマー５１及び繊維材料５２からなる吸収性材料の含有量が、外周部２４に位置する吸収性コア４０における吸収性材料の含有量よりも小さい低吸収性コア４０ａを設けてもよい。また、低吸収性コア４０ａにおける吸収性材料の含有量が、吸収性コア４０における吸収性材料の含有量より小さければ、低吸収性コア４０ａの厚み寸法は特に限定されない。例えば、図１０に示すように、低吸収性コア４０ａの厚み寸法を、吸収性コア４０の厚み寸法よりも小さくしてもよい。また、低吸収性コア４０ａの厚み寸法を、吸収性コア４０の厚み寸法と略同じにしてもよい。
なお、吸収性コア４０の厚み寸法と低吸収性コア４０ａの厚み寸法とが略同一の場合、これをラップシート６１で被包しても、吸収体２０の外観から溝状部２３を判別しにくいことがある。このような場合であっても、吸収体２０は、平面視で低吸収性コア４０ａの位置する部分に溝状部２３あるいはスリット部４９を備えるものとする。
【００６８】
上記のような吸収性コア４０及び低吸収性コア４０ａを含む吸収体２０の製造方法は特に限定されず、公知の手法により製造することができる。例えば、吸収性材料を堆積する際に、吸収性材料を吸収性コア４０の部分に多く（厚く及び／又は密に）堆積し、低吸収性コア４０ａの部分に少なく（薄く及び／又は疎に）堆積し、これらをラップシート６１で被覆することで吸収体２０を得ることができる。
【００６９】
また、漏止部８０として、貼合部８１、非透気部材８２及びシート重複部８３の２つ以上を組み合わせることもできる。例えば、図１１には、第一貼合部８１Ａと第一非透気部材８２Ａとしての非透気フィルムとを併用した尿パッド１００を示す。第一貼合部８１Ａと第一非透気部材８２Ａとしての非透気フィルムとを併用することで、平面視でスリット部４９に対応する位置において、排泄水分がバックシート６３を透過して漏れ出すことを確実に防止することができる。
【符号の説明】
【００７０】
１００  尿パッド
２  前身頃
３  股下部
４  後身頃
１０  積層体
２０  吸収体
２３  溝状部
２４  外周部
２５  中央部
４０  吸収性コア
４９  スリット部
５１  高吸収性ポリマー
５２  繊維材料
６０  積層シート
６１  ラップシート
６２  トップシート
６３  バックシート
６４  サイドシート
６５  カバーシート
８０  漏止部
８１  貼合部
８２  非透気部材
８３  シート重複部
【図１】
2019176930.tif 000003
【図２】
2019176930.tif 000004
【図３】
2019176930.tif 000005
【図４】
2019176930.tif 000006
【図５】
2019176930.tif 000007
【図６】
2019176930.tif 000008
【図７】
2019176930.tif 000009
【図８】
2019176930.tif 000010
【図９】
2019176930.tif 000011
【図１０】
2019176930.tif 000012
【図１１】
2019176930.tif 000013